(57)【要約】【課題】  本発明は、両面粘着テープ製造、製品化工程において出てくる端材、短尺品を産業廃棄物として廃棄する代わりに積極的に再利用して廃棄物抑制をはかるとともに有効に活用して製造したエコロジータイプのクラフト粘着テープを提供する。【解決手段】  両面粘着テープ製造、製品化工程において出てくる端材、短尺品を片面離型剤塗布のクラフト紙の離型剤非塗布面に上記両面粘着テープの粘着剤層を貼り合わせロールを用いて圧着し製造するクラフト粘着テープ。【選択図】  図１
2010195999.tif 000002
【特許請求の範囲】
【請求項１】
片面離型剤塗布のクラフト紙の離型剤非塗布面に、両面粘着テープ製造、製品化工程において出てくる端材、短尺品の粘着剤層を貼り合わせてなることを特徴とするクラフト粘着テープ
【請求項２】
片面離型剤塗布のクラフト紙の離型剤非塗布面に、上記粘着剤層を貼り合わせた面が内側となるように巻き取ってなることを特徴とする請求項１記載のクラフト粘着テープ
【請求項３】
上記端材、短尺品の粘着剤層の厚みが５０から３００ミクロンを有するものを用いることを特徴とする請求項1、２及び３記載のクラフト粘着テープ
【請求項４】
上記端材、短尺品の粘着剤層が、その間に不織布からなる支持体を有するものを用いることを特徴とする請求項１、２、３及び４記載のクラフト粘着テープ
【請求項５】
片面離型剤塗布のクラフト紙の離型剤非塗布面に、両面粘着テープ製造、製品化工程において出てくる端材、短尺品の粘着剤層を貼り合わせる工程において貼り合わせロールを用いて圧着する工程を含むクラフト粘着テープの製造方法
【発明の詳細な説明】
【技術分野】
【０００１】
本発明は、両面粘着テープ製造、製品化工程において出てくる端材、短尺品を利用したクラフト粘着テープ及びその製造方法に、関する。
【背景技術】
【０００２】
両面粘着テープは、電子電器の分野ではテレビの部品部材、携帯電話の部品部材等の接着用に使われ、自動車の分野ではモール、エンブレム接着用、内装パネルの固定用、ルーフの防音、緩衝材接着用等に使われ、建築、建材の分野ではフロアー材、化粧板、敷居部材等の接着用、その他一般工業用や家庭用等多方面に使われ、大量に生産されている。
【０００３】
両面粘着テープの粘着剤層としては、アクリル、合成ゴム等をベースとした溶剤型及びエマルジョン型の樹脂が使われ、上下に両面離型剤が塗布された離型紙の間に、粘着剤のみで形成されたものあるいは支持体の両側に粘着剤を形成させたもので出来た粘着剤層を有する構造で、通常ロール状に巻き取る形で製造されている。
【０００４】
両面粘着テープは従来の一般的な溶液型接着剤に比べ、取り扱いが簡単、特別な用具を必要としない、溶液型接着剤に比べロスが少ない、接着工程が短縮できる、均一な接着が出来る等の優れた特徴を有するため、経済性や正確性を満足させるということで、今後とも益々需要が増大してゆくものと考えられている。しかしながら、需要が増せば増すほど両面粘着テープの製品化工程では、産業廃棄物としての端材、端尺品が出てくる事でその処理に悩まされている。
【０００５】
両面粘着テープ製造、製品化工程において出てくる端材、短尺品は、例えば端材では１ｍ幅の原反両面粘着テープを製造すると、顧客の要求幅が７０ｃｍであれば３０ｃｍが端材幅として残り、また、端尺品では５００ｍ巻き長さの原反両面粘着テープを製造すると、顧客の要求巻き長さが５０ｍであれば１原反から通常予備長さとして５１ｍ必要であるので５１ｍ×９本で４５９ｍとなり４１ｍが端尺品として残ることによって排出される。
【０００６】
現在は両面離型紙の部分を再生紙にする試みもなされているが粘着剤層処理コストも含めた採算性に問題がありほとんど産業廃棄物として焼却、埋め立てられている。環境への配慮を目的として、産業廃棄物を抑制することが強くのぞまれ業界でも問題になっている。
【先行技術文献】
【特許文献】
【０００７】
【特許文献１】特開２００５―２１３３６０号公報
【発明の概要】
【発明が解決しようとする課題】
【０００８】
本発明は、両面粘着テープ製造、製品化工程において出てくる端材、短尺品
を再活用してエコロジータイプのクラフト粘着テープ及びその製造方法を提供することを目的とする。
【課題を解決するための手段】
【０００９】
本発明者らは、前記課題を解決すべく鋭意検討を重ねた結果、以下に示すク
ラフト粘着テープ及びその製造方法を用いることにより、上記目的を達成できることを見出し、本発明を完成するに至った。
【００１０】
本発明は、両面粘着テープ製造、製品化工程において出てくる端材、短尺品
を再利用したエコロジータイプのクラフト粘着テープに関する。
【００１１】
この場合に、本発明における一般工業用や家庭用等に用いられる両面粘着テ
ープ製造、製品化工程において出てくる端材、短尺品の粘着剤層は、通常包装用副資材として用いられている一般的なクラフト粘着テープの粘着剤層に比べて何倍もの厚みがある。即ち通常５０ミクロン以下のクラフト粘着テープの粘着剤層にたいして両面粘着テープの粘着剤層の厚みは５０ミクロンから３００ミクロンの厚みがあり、一般的に製造されるものはその目的に応じて５０ミクロンから１５０ミクロンのものが多く製品化されている。特に、支持体の両側に粘着剤を形成した粘着剤層を有するものは７０ミクロン以上のものが多く、かつ、量的にも多く生産されている。従って本発明における両面粘着テープ製造、製品化工程において出てくる端材、短尺品に用いられている粘着剤層の厚さも７０ミクロンか
ら１５０ミクロンのものを用途開発として用いた場合産業廃棄物を抑制するという点からは好ましい。
【００１２】
また、クラフト粘着テープに用いられる紙基材としては、クルパック紙、晒
クルパック紙、上質紙、クラフト紙、グラシン紙などがあり片面に離型剤を塗布し、非塗布面に上記端材、短尺品の粘着剤層を貼り付けて用いる。紙基材の厚みは特に限定するものではないが５０〜２００ミクロンの範囲のものが好ましい。
【００１３】
両面粘着テープの粘着剤層は、一般的なクラフト粘着テープの粘着剤層に比べて厚みがあり、接着強さ、引張り強度等の点で優れたものが得られる。また、両面粘着テープ製造、製品化工程において出てくる端材、短尺品は産業廃棄物として扱われるので安価に入手できるという利点もある。
【００１４】
上記端材、短尺品を利用したクラフト粘着テープの用途としては、汎用のものではなく、特定の強度、形状、大きさの少量多品種の製品に向いている。即ち、量産効果は期待できないが少量で必要不可欠な特殊用途に対応したいときに、種々な特性、構造や大きさの上記端材、短尺品を材料としてストックして注文に応じてすばやく対応することによって大きな付加価値が期待できる。
【００１５】
また、本発明は両面粘着テープ製造、製品化工程において出てくる端材、短尺品の粘着剤層を利用したクラフト粘着テープの製造において粘着剤層を利用したあとに残る粘着剤層の取り除かれた両面離型紙の部分も同時に得られ、両方を利用することによって、両面離型紙の部分もこれまで以上に安価な再生紙用の原料として利用できる利点もある。
【００１６】
本発明は、両面粘着テープ製造、製品化工程において出てくる端材、短尺品を用いて片面離型剤塗布のクラフト紙の離型剤非塗布面に上記両面粘着テープの粘着剤層を貼り合わせる工程において貼り合わせロールを用いた工程を含むクラフト粘着テープの製造方法、に関する。
【００１７】
この場合に、貼り合わせロールを用いた工程とは、二つのゴム弾性ロールのロール間を所定の圧力が加わる様にして、この間に離型剤を塗布した紙基材のクラフト紙の離型剤非塗布面と上記両面粘着テープの端材、短尺材から得られる粘着剤層を貼り合わせるように通し、厚み方向に圧力をかけて接着する方式をいう。
【００１８】
本発明のクラフト粘着テープの製造方法を使用することにより、厚み、強度に優るクラフト粘着テープを得る事が出来る。
【発明の効果】
【００１９】
以上、詳細したとり、本発明は、両面粘着テープ製造、製品化工程において出てくる端材、短尺品を産業廃棄物として廃棄する代わりに積極的に再利用して廃棄物抑制をはかるとともに有効に活用して製造したクラフト粘着テープが得られ、また、本発明製造方法によれば、かかるクラフト粘着テープが安価に製造できるという効果がある。
【図面の簡単な説明】
【００２０】
【図１】本発明のクラフト粘着テープの製造工程を例示する説明図である。
【発明を実施するための形態】
【００２１】
以下、本発明の実施の形態について詳細に説明する。
【００２２】
本発明に用いる両面粘着テープ製造、製品化工程において出てくる端材、短尺品とは、電子電器の分野ではテレビの部品部材、携帯電話の部品部材等の接着用に使われ、自動車の分野ではモール、エンブレム接着用、内装パネルの固定用、ルーフの防音、緩衝材接着用等に使われ、建築、建材の分野ではフロアー材、化粧板、敷居部材等の接着用、その他一般工業用や家庭用等多方面に使われ、大量に生産されている両面粘着テープ製品の製造工程において、製品用として使用されない両面粘着テープの端材、短尺品をいう。
【００２３】
前記両面粘着テープの端材、短尺品の形状は、特に制限するものではないが、例えば両面離型紙に粘着剤層を貼り合わせた面が内側となるように巻き取ってなるロール状であることが好ましい。
【００２４】
前記両面粘着テープの端材、短尺品の粘着剤層は、特に制限するものではないが、粘着剤のみのものあるいは支持体として不織布の両面に粘着剤を塗布したものが用いられ、特に、剥離強度の大きいクラフト粘着テープの製造を目的とする場合は、不織布の両面に粘着剤を塗布したものが好ましい。
【００２５】
また、前記粘着剤層の粘着剤としては、特に限定されず、前記両面粘着テープの端材、短尺品に用いられているアクリル、合成及び天然ゴム等をベースとした溶剤型及びエマルジョン型の樹脂等の従来公知のものでよい。
【００２６】
本発明に係るクラフト粘着テープの製造方法は、図１に示すように、貼り合わせロール１０と搬送ロール１１間に片面離型剤塗布クラフト紙２を片面離型剤塗布面が二種の下側のロール１０、１１に接するように供給し、同じように端材または短尺品１を離型剤塗布テープが二種の上側のロール１０、１１に接するように供給する。これら片面離型剤塗布クラフト紙２と端材または短尺品１とを対面させて両者間に適宜な間隔がある状態とする。
【００２７】
ついで、搬送ロール１１の左側に設けられた貼り合わせロール１０に所定の圧力が加わる様に設定して、搬送ロール１１によって右方に搬送する。
【００２８】
この際、端材または短尺品１の幅または長さが所定幅または長さのない材料の場合は、予め同様の材料を接着あるいはつなぎ合わせて調整した材料を用いても良い。
【００２９】
貼り合わせロール１０による加工条件は、所望の製品に応じて圧着の圧力、ロール速度等を定める事ができる。  例えば、二つの弾性ロール間のニップ圧は０．５〜２０ｋｇ／平方センチ、好ましくは１〜１０ｋｇ／平方センチの範囲である。また、ロールは加熱なしでも接着性や平滑性向上などの効果は得られるが、１５０℃以下の加熱温度を両面粘着テープの端材及び短尺品の特性から適宜かけことができ接着性や平滑性向上などを調整することができる。
【００３０】
以下、実施例及び比較例に基づいて本発明を具体的に説明する。
【実施例１】
【００３１】
日立化成ポリマー株式会社製ハイボンＮｏ．１１−５７８の幅３０ｃｍ、長さ５００ｍの端材（アクリル系粘着剤使用、不織布からなる支持体を有する１３０ミクロンの総厚み両面粘着テープ）を用いて二つのゴム弾性ロールからなる貼り合わせ装置に１ｋｇ／平方センチメートルになるように厚み方向に圧力を加え、坪量７０ｇ／平方メートルの片面離型剤塗布クラフト紙の非塗布面に貼り付けて巻き取り、クラフト粘着テープを製造した。
【実施例２】
【００３２】
日立化成ポリマー株式会社製ハイボンＮＯ．１１−５８３の幅１ｍ、長さ４１ｍの端材（アクリル系粘着剤使用、不織布からなる支持体を有する１４０ミクロンの総厚み両面粘着テープ）を用いて二つのゴム弾性ロールからなる貼り合わせ装置に２ｋｇ／平方センチになるように厚み方向に圧力を加え、坪量７０ｇ／平方メートルの片面離型剤塗布クラフト紙の非塗布面に貼り付けて巻き取り、クラフト粘着テープを製造した。）
【００３３】
（比較例１）
市販クラフト粘着テープ（Ｎｏ．７１２Ｆ、日東電工）
【００３４】
（比較例２）
市販クラフト粘着テープ（Ｎｏ．１０１、王子タック）
【００３５】
（反発力試験方法）
加藤段ボール社製ダンボール（規格：Bフルート）で幅５ｃｍ、長さ１５ｃｍの板を作り、一方の端部から４ｃｍの長さの位置で４ｃｍの長さの部分を上にして折る。上下の折った板の４ｃｍの端部が接する線から上下の板の２ｃｍ幅の面に、実施例１，２及び比較例１，２を用いて幅４ｃｍに調整したクラフト粘着テープを長さ４ｃｍに切って置き、５ｋｇローラーで３往復圧着して貼り合わる。雰囲気温度２３℃、雰囲気湿度６０％環境の中で５時間放置後、ダンボールを折り曲げた際の反発力により張り合わせ面の剥がれが起りやすい下のダンボールの接着面の剥がれた幅をノギスで測定した。接着面の剥がれが５ｍｍ未満の場合○、接着面が５ｍｍ以上剥がれる場合Ｘと評価した。
【００３６】
（保持力試験方法）
実施例１，２及び比較例１，２を用いて幅１ｃｍ、長さ１０ｃｍの試験片を作成し、一方の端部から５ｃｍの部分をアルミ板の上に置き、５ｋｇローラーで３往復圧着して張り合わせる。雰囲気温度２３℃、雰囲気湿度６０％で３０分放置後、試験片が下にくるようにアルミ板を垂直にし、未接着部の試験片の下部をクリップで挟み３．４ｋｇの錘をかけ５分後の状態を目視で観察した。接着面が剥がれ落ちない場合○、接着面が剥がれ落ちる場合をＸと評価した。
【００３７】
【表１】
2010195999.tif 000003
【００３８】
以上の結果から、本発明に係る実施例１，２のクラフト粘着テープは、比較例と比べ、反発力および保持力性能において同等あるいはそれ以上に優れていることが確認できた。
【００３９】
上記の好ましい実施形態例を実施例を参照して説明したが、本発明はこれら実施例に限定されず、特許請求範囲の各請求項に記載された技術的思想の範疇において種々変更が可能であることは言うまでもない。
【産業上の利用可能性】
【００４０】
上記の発明は、両面粘着テープ製造、製品化工程において出てくる端材、短尺品を再利用したエコロジータイプのクラフト粘着テープ及びその製造方法を使用することにより、産業廃棄物として廃棄する代わりに積極的に再利用して廃棄物抑制をはかるとともに有効に活用して、反発力及び保持力性能に優れたクラフト粘着テープの製造に利用可能である。
【符号の説明】
【００４１】
１：端材または短尺材
２：片面離型剤塗布紙クラフト紙
３：両面離型剤塗布離型紙
４：クラフト粘着テープ
１０：貼り合わせロール
１１：搬送ロール
【図１】
2010195999.tif 000004